(57)【要約】【課題】縦方向での必要空間を削減してポンプ全高を低く構成し得ると共に、電装室の冷却をもし得る立型水中電動ポンプを提供する。【解決手段】ポンプケーシング１上に立設せられ上端面の閉塞された筒状モータフレーム１１の外周面において、下端部がポンプケーシング１内の渦巻室２へ通じ上端部がポンプ吐出口１９へ通じる水路１４と、内側部がモータフレーム１１内と通じ上端部がモータフレーム上方部の電源ケーブル挿通口２６へ通じ、前記水路によって冷却される電装室１６とを、円周方向へ並列状に縦設するよう構成する。【選択図】      図９
2008064118.tif 000002
【特許請求の範囲】
【請求項１】
ポンプケーシング上に立設せられ上端面の閉塞された筒状モータフレームの外周面において、下端部がポンプケーシング内の渦巻室へ通じ上端部がポンプ吐出口へ通じる水路と、内側部がモータフレーム内と通じ上端部がモータフレーム上方部の電源ケーブル挿通口へ通じ、前記水路により冷却される電装室とを、円周方向へ並列状に縦設したことを特徴とする、立型水中電動ポンプ。
【請求項２】
筒状モータフレームの外周面には複数の水路が縦設されており、各水路の上端部が筒状モータフレームの上方部側周で合流してポンプ吐出口へ通じるよう構成したことを特徴とする、請求項１記載の立型水中電動ポンプ。
【発明の詳細な説明】
【技術分野】
【０００１】
本発明は、水中に浸漬することが出来る立型水中電動ポンプに関するものである。
【背景技術】
【０００２】
従来の立型水中電動ポンプは、図１０に示すよう下から上へオイル室１２２、モータ室１１１、電装室１１６、そしてモータ室外壁に水路が設けられ、それらの順に積層状に配置された構造になっている。
【０００３】
上述のような従来の立型水中電動ポンプは、縦方向での必要空間を短縮することが困難である。
【発明の開示】
【発明が解決しようとする課題】
【０００４】
解決しようとする課題は、筒状モータフレームの外周面空間を利用した構成により、縦方向での必要空間を削減してポンプ全高を低く構成すると共に電装室等の冷却をもなし得る立型水中電動ポンプを提供することにある。
【課題を解決するための手段】
【０００５】
本発明では、ポンプケーシング上に立設せられ上端面の閉塞された筒状のモータフレームの外周面において、下端部がポンプケーシング内の渦巻室へ通じ上端部がポンプ吐出口へ通じる水路と、内側部が該モータフレーム内と通じ上端部がモータフレーム上方部の電源ケーブル挿通口へ通じ、前記水路により冷却される電装室とを、円周方向へ並列状に縦設したことと、該筒状のモータフレームの外周面に複数の水路を縦設した場合には、各水路の上端部が筒状のモータフレームの上方部側周で合流してポンプ吐出口へ通じるよう構成した立型水中電動ポンプを提供する。
【発明の効果】
【０００６】
本発明立型水中電動ポンプによれば、モータフレームの外周面空間を利用して水路により冷却されるよう電装室を並列状に縦設させるものであり、ポンプ全高を低く構成し得ることとなり、コンパクト化が図られる。
【発明を実施するための最良の形態】
【０００７】
ポンプケーシング上に立設せられ上端面の閉塞された筒状モータフレームの外周面において、下端部がポンプケーシング内の渦巻室へ通じ上端部がポンプ吐出口へ通じる水路と、内側部がモータフレーム内と通じ上端部がモータフレーム上方部の電源ケーブル挿通口へ通じ、前記水路により冷却される電装室とを、円周方向へ並列状に縦設するよう構成し、筒状モータフレームの外周面に複数の水路を縦設した場合には、各水路の上端部が筒状モータフレームの上方部側周で合流してポンプ吐出口へ通じるよう構成する。以下本発明の実施例を図面と共に説明する。
【実施例】
【０００８】
図１ないし図８において、１はゴム等の耐摩耗性材料で作られたポンプケーシングであって、内部は渦巻室２に形成されている。３はモータ軸４の導下部に嵌着されてポンプケーシング１内に収容された羽根車、５はポンプケーシング１の下縁部に定着せられ中央にポンプ吸込口６を開口させたサクションカバー、７はストレーナ、８はポンプケーシング１の背部に定着されたシールプレート、９は耐摩耗性材料で作られてシールプレート８の下面に添着された保護シート、１０はポンプケーシング１が水圧によって外側へ変形することを阻止するための補強壁である。そして、外側には、外ケーシング３０があって、外壁を構成しているのは。図１０に示すように従来の立型水中電動ポンプと同様である。
【０００９】
該補強壁１０は、シールプレート８の周辺部から導下されてポンプケーシング１の巻の外周へ当接する。１１はポンプケーシング１のシールプレート８上に立設された筒状のモータフレームであって、上端面はヘッドカバー１２を装着するなどにより閉塞せられ内部にはモータ１３が収容されている。
【００１０】
筒状のモータフレーム１１の外周面には、その筒軸方向へ伸延される水路１４と隣接して第２オイル室１５および電装室１６が円周方向へ並列状に縦設されている。従って、水路１４と隣接する第２オイル室１５、電装室１６、そしてモータ１３は、接する揚水によって冷却されることが理解される。１７・・・・１７は上記各室を区画する隔壁である。
前記渦巻室２における巻の終端部２Ｅは水路１４の下端部と通じ、水路１４の上端部はヘッドカバー１２の内周部に形成される誘導路１８を経てポンプ吐出口１９へ通じている。実施例の図３、図４に示すよう、２個の水路１４，１４が対向状に配設せられ、それぞれの下端部が二重渦巻室２の巻の終端部２Ｅ，２Ｅとそれぞれ各別に導通させてある場合には、各水路１４，１４の上端部がヘッドカバー１２内の誘導路１８で合流してポンプ吐出口１９へ通じるのである。
【００１１】
第２オイル室１５は隔壁１７を介して水路１４，１４間に狭まれるようにして縦設されており、その下端部はモータフレーム１１の下方部に穿設された通油孔２０を介して、メカニカルシール２１の周辺部に形成された第１オイル室２２へ通じ、上端部はヘッドカバー１２の上面から開設された給油口２３へ通じている。該給油口２３は、上端にあるので、給油時にポンプを横倒しにする必要がない。２４は給油口２３に施される給油プラグである。
電装室１６はその内側面に設けられたリード線引出孔２５を介してモータフレーム１１内へ通じ上端面がモータフレーム１１上方部の電源ケーブル挿通口２６へ通じている。
【００１２】
そして作用としては、ポンプ駆動時には、ポンプ吸込口６から渦巻室２内へ吸込まれた水は、巻の終端部２Ｅから水路１４内を上昇する過程で、筒状のモータフレーム１１内のモータ１３、電装室１６や第２オイル室等は水路と接しているので、冷却しつつ誘導路１８を経てポンプ吐出口１９から吐出される。
【００１３】
以上本発明を上記実施例を持って説明することで、本発明が理解しえたものと考えられるが、上記の実施例に限定されず、本発明の技術思想に基づいて当業者によって種々の変形例が考えられるのは当然である。
【図面の簡単な説明】
【００１４】
【図１】本発明立型水中電動ポンプの第２オイル室および電装室が表示される部位での縦断側面図である。
【図２】本発明立型水中電動ポンプの水路が表示される部位での縦断側面図である。
【図３】本発明立型水中電動ポンプにおけるモータフレームの平面図である。
【図４】本発明立型水中電動ポンプにおけるモータフレームの底面図である。
【図５】図３のＡ−Ａ線における縦断側面図である。
【図６】図３のＢ−Ｂ線における縦断側面図である。
【図７】図３ないし図６に示されたモータフレームの上端面を閉塞するためのヘッドカバーの底面図である。
【図８】図１のＣ−Ｃ線における横断平面図である。
【図９】本発明立型水中電動ポンプの構成の要約を示す説明図である。
【図１０】従来における立型水中電動ポンプの縦断側面図である。
【符号の説明】
【００１５】
１    ポンプケーシング
２    渦巻室
１１  モータフレーム
１４  水路
１５  第２オイル室
１６  電装室
１９  ポンプ吐出口
２１  メカニカルシール
２２  第１オイル室
２３  給油口
２６  電源ケーブル挿通口
【図１】
2008064118.tif 000003
【図２】
2008064118.tif 000004
【図３】
2008064118.tif 000005
【図４】
2008064118.tif 000006
【図５】
2008064118.tif 000007
【図６】
2008064118.tif 000008
【図７】
2008064118.tif 000009
【図８】
2008064118.tif 000010
【図９】
2008064118.tif 000011
【図１０】
2008064118.tif 000012